(57)【要約】【課題】セル内に直径数μｍ〜数十μｍの粒子群を数層〜数１０層に積み上げて充填した場合でも、精度良く粒子充填量の測定を行うことができる情報表示用パネルにおける粒子充填量の測定方法を提供する。【解決手段】情報表示用パネルにおける粒子充填量の測定方法において、一方の基板１上に隔壁４で仕切って形成したセル７内に配置した粒子群３Ｂの粒子充填量を測定するにあたり、セル内に充填した粒子群に対し、上部から波長５６１ｎｍ以下のレーザー光を照射し、セル内に充填した粒子群の高さ方向の変位量を測定し、測定した変位量に基づき、セル内に充填した粒子群の充填量を求める。【選択図】図３
2012063168.tif 000002
【特許請求の範囲】
【請求項１】
少なくとも一方が透明な２枚の基板を対向配置した基板間を、隔壁で格子状に仕切って形成したセル内に、表示媒体を構成する粒子群を配置し、粒子群を電界で移動させて情報を表示する情報表示用パネルにおける粒子充填量の測定方法において、
一方の基板上に隔壁で仕切って形成したセル内に配置した粒子群の粒子充填量を測定するにあたり、
セル内に充填した粒子群に対し、上部から波長５６１ｎｍ以下のレーザー光を照射し、セル内に充填した粒子群の高さ方向の変位量を測定し、測定した変位量に基づき、セル内に充填した粒子群の充填量を求めることを特徴とする情報表示用パネルにおける粒子充填量の測定方法。
【請求項２】
前記セルの形状が前記隔壁を格子状に配置して構成した四角形であり、四角形のセルのいずれか一辺と平行に前記レーザー光を走査し、前記セル内に充填した粒子群の高さ方向の変位量を測定し、測定した変位量に基づき、前記セル内の走査方向に沿った高さ方向の粒子群の断面積を求め、求めた粒子群の断面積に、走査方向に直交する方向のセルの幅を掛け合わすことで、セルの粒子充填量を測定することを特徴とする請求項１に記載の情報表示用パネルにおける粒子充填量の測定方法。
【請求項３】
反射率が９０％以上の粒子の粒子充填量を測定するにあたり、前記レーザー光の光路上に光学フィルターを備えることを特徴とする請求項１または２に記載の情報表示用パネルにおける粒子充填量の測定方法。
【請求項４】
前記光学フィルターが偏光フィルターであることを特徴とする請求項３に記載の情報表示用パネルにおける粒子充填量の測定方法。
【請求項５】
情報表示用パネルの全セルの粒子充填量を測定する場合、レーザー光の走査方向の少なくとも１行または１列の全セルの粒子充填量を求め、その粒子充填量を該当するセルと同じ列方向または行方向のセルの粒子充填量として用いることを特徴とする請求項１〜４のいずれか１項に記載の情報表示用パネルにおける粒子充填量の測定方法。
【請求項６】
走査方向の複数の行または列のセルの粒子充填量を求めた場合、列方向または行方向のセルの粒子充填量として、複数の行または列のセルの粒子充填量において同じ列方向または行方向の粒子充填量の平均値を用いることを特徴とする請求項５に記載の情報表示用パネルにおける粒子充填量の測定方法。
【発明の詳細な説明】
【技術分野】
【０００１】
本発明は、少なくとも一方が透明な２枚の基板を対向配置した基板間を、隔壁で格子状に仕切って形成したセル内に、表示媒体を構成する粒子群を配置し、粒子群を電界で移動させて情報を表示する情報表示用パネルにおける粒子充填量の測定方法に関するものである。
【背景技術】
【０００２】
従来、情報表示用パネルにおける粒子充填量の測定方法として、情報表示用パネルの背面または前面に光源を配置し、情報表示用パネルの全面に対する均一光源からの光束の透過光あるいは反射光を検出し、粒子充填分布状態を測定する方法が知られている（例えば、特許文献１参照）。
【先行技術文献】
【特許文献】
【０００３】
【特許文献１】特開２００６−３９１１９号公報
【発明の概要】
【発明が解決しようとする課題】
【０００４】
上述した従来の粒子充填量の測定方法は、情報表示用パネル全体の粒子の充填分布状態を評価することを目的としている。そのため、この従来の粒子充填量の測定方法では、セル毎の粒子充填量を精度良く測定することはできなかった。
【０００５】
セル毎の粒子充填量を測定するために、数１００ドットを１視野とした赤色レーザーの反射光強度の変化により粒子充填量を求める方法が考えられる。しかしながら、上述した赤色レーザーによる反射光強度から粒子充填量を求める方法では、粒子群が隙間無く充填された段階で反射強度特定が変わり、粒子群が数層程度に充填された場合の粒子充填量を測定できない問題があった。図１０（ａ）、（ｂ）はそれぞれ赤色レーザー光を用いて粒子充填量を測定する場合の問題点の一例を説明するための図である。図１０（ａ）に示すように、情報表示用パネル５０に対し赤色レーザー５１を一方向に走査し、図１０（ｂ）に示すように、互いに異なる色１、色２、色３毎に粒子群５２が一層、二層、三層、四層に充填された粒子群５２の反射光濃度を求めた。その結果、図１０（ｂ）に示すように、一層であれば色１、色２、色３の粒子群とも反射光強度が異なり、粒子充填量を精度良く測定できるが、二層、三層、四層とも色１、色２、色３の各別の反射光強度が各色すべて同じであり、粒子充填量を精度良く測定できないことがわかる。
【０００６】
また、上述した問題を解消する方法としてピンスポットの赤色レーザーによる変位量測定に置き換える方法も考えられるが、スポット径を２μｍまで絞っても対象物で拡散される反射光を効率良く受光し、高精度の粒子充填量の測定を行うことは困難であった。特に、本発明が対象とするフラットパネルディスプレイ（情報表示用パネル）は光の散乱が起こりやすい透明基板上に隔壁により形成されるセル内に粒子群を充填するために、この傾向は顕著であった。図１１（ａ）、（ｂ）はそれぞれ赤色レーザー光を用いて粒子充填量を測定する場合の問題点の他の例を説明するための図である。図１１（ａ）に示すように、基板５３上に隔壁５４により形成されたセル５５内に充填した粒子群に対し、ピンスポットの赤色レーザー５１を一方向に走査し、図１１（ｂ）に示すように、隔壁５４を含む粒子群５２の高さ方向の変位量プロファイルを求めた。その結果、図１１（ｂ）に示すように、散乱、拡散によるノイズが乗ったプロファイルとなり、粒子群５２の高さ方向の変位量や隔壁５４の位置などを精度良く求めることはできず、粒子充填量を精度良く測定できないことがわかる。
【０００７】
本発明の目的は上述した問題点を解消して、セル内に直径数μｍ〜数十μｍの粒子群を数層〜数１０層に積み上げて充填した場合でも、精度良く粒子充填量の測定を行うことができる情報表示用パネルにおける粒子充填量の測定方法を提供しようとするものである。
【課題を解決するための手段】
【０００８】
本発明の情報表示用パネルにおける粒子充填量の測定方法は、少なくとも一方が透明な２枚の基板を対向配置した基板間を、隔壁で格子状に仕切って形成したセル内に、表示媒体を構成する粒子群を配置し、粒子群を電界で移動させて情報を表示する情報表示用パネルにおける粒子充填量の測定方法において、一方の基板上に隔壁で仕切って形成したセル内に配置した粒子群の粒子充填量を測定するにあたり、セル内に充填した粒子群に対し、上部から波長５６１ｎｍ以下のレーザー光を照射し、セル内に充填した粒子群の高さ方向の変位量を測定し、測定した変位量に基づき、セル内に充填した粒子群の充填量を求めることを特徴とするものである。
【０００９】
また、本発明の情報表示用パネルにおける粒子充填量の測定方法の好適例としては、前記セルの形状が前記隔壁を格子状に配置して構成した四角形であり、四角形のセルのいずれか一辺と平行に前記レーザー光を走査し、前記セル内に充填した粒子群の高さ方向の変位量を測定し、測定した変位量に基づき、前記セル内の走査方向に沿った高さ方向の粒子群の断面積を求め、求めた粒子群の断面積に、走査方向に直交する方向のセルの幅を掛け合わすことで、セルの粒子充填量を測定すること、反射率（表面の影響を受けない十分な厚みがある場合）が９０％以上の粒子の粒子充填量を測定するにあたり、前記レーザー光の光路上に光学フィルターを備えること、前記光学フィルターが偏光フィルターであること、情報表示用パネルの全セルの粒子充填量を測定する場合、レーザー光の走査方向の少なくとも１行または１列の全セルの粒子充填量を求め、その粒子充填量を該当するセルと同じ列方向または行方向のセルの粒子充填量として用いること、走査方向の複数の行または列のセルの粒子充填量を求めた場合、列方向または行方向のセルの粒子充填量として、複数の行または列のセルの粒子充填量において同じ列方向または行方向の粒子充填量の平均値を用いること、がある。
【発明の効果】
【００１０】
本発明によれば、一方の基板上に隔壁で仕切って形成したセル内に配置した粒子群の粒子充填量を測定するにあたり、セル内に充填した粒子群に対し、上部から波長５６１ｎｍ以下のレーザー光を照射し、セル内に充填した粒子群の高さ方向の変位量を測定し、測定した変位量に基づき、セル内に充填した粒子群の充填量を求めることで、セル内に直径数μｍ〜数十μｍの粒子群を数層〜数１０層に積み上げて充填した場合でも、精度良く粒子充填量の測定を行うことができる情報表示用パネルにおける粒子充填量の測定方法を得ることができる。
【図面の簡単な説明】
【００１１】
【図１】（ａ）、（ｂ）はそれぞれ本発明の対象となる帯電粒子駆動型の情報表示用パネルの一例を説明するための図である。
【図２】（ａ）、（ｂ）はそれぞれ本発明の対象となる帯電粒子駆動型の情報表示用パネルの他の一例を説明するための図である。
【図３】（ａ）〜（ｄ）はそれぞれ本発明の情報表示用パネルにおける粒子充填量の測定方法の一例を具体的に説明するための図である。
【図４】（ａ）、（ｂ）それぞれ本発明の情報表示用パネルにおける粒子充填量の測定方法の他の例を説明するための図である。
【図５】本発明の情報表示用パネルにおける粒子充填量の測定方法のさらに他の例を説明するための図である。
【図６】本発明において、ブルーレーザー変位計により、充填した黒色粒子群の変位を測定した場合の、変位量プロファイルの一例を示す図である。
【図７】本発明において、ブルーレーザー変位計により、充填した赤色粒子群の変位を測定した場合の、変位量プロファイルの一例を示す図である。
【図８】（ａ）、（ｂ）は、それぞれ、本発明において、ブルーレーザー変位計により、充填した白色粒子群の変位を測定した場合の、変位量プロファイルの一例を示す図である。
【図９】本発明において、青色レーザー光を用いて粒子充填量を測定する場合の一例を説明するための図である。
【図１０】（ａ）、（ｂ）はそれぞれ赤色レーザー光を用いて粒子充填量を測定する場合の問題点の一例を説明するための図である。
【図１１】（ａ）、（ｂ）はそれぞれ赤色レーザー光を用いて粒子充填量を測定する場合の問題点の他の例を説明するための図である。
【発明を実施するための形態】
【００１２】
＜本発明の粒子充填量の測定方法の対象となるパネル構造について＞
まず、本発明の粒子充填量の測定方法の対象となる情報表示用パネルの一例である帯電粒子駆動型情報表示用パネルの基本的な構成について説明する。前記情報表示用パネルでは、対向する２枚の基板間に封入した帯電性粒子を含んだ粒子群として構成した表示媒体に対向電極対から電界が付与される。付与された電界方向にそって、表示媒体が電界による力やクーロン力などによって引き寄せられ、表示媒体が電界方向の変化によって移動方向が切り換わることにより、画像等の情報表示がなされる。従って、表示媒体が、均一に移動し、かつ、表示情報を書き換える時あるいは表示した情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１３】
本発明の粒子充填量の測定方法の対象となる帯電粒子駆動型の情報表示用パネルの例を、図１（ａ）、（ｂ）〜図２（ａ）、（ｂ）に基づき説明する。
【００１４】
図１（ａ）、（ｂ）に示す例では、少なくとも光学的反射率および帯電性を有する粒子を含んだ粒子群として構成した少なくとも２種類の表示媒体（ここでは負帯電性白色粒子３Ｗａを含んだ白色粒子群３Ｗと正帯電性黒色粒子３Ｂａを含んだ黒色粒子群３Ｂを示す）を、隔壁４で形成された各セル７において、背面側のパネル基板１に設けた電極５（ストライプ電極）と観察側の透明なパネル基板２に設けた透明電極６（ストライプ電極）とが対向直交交差して形成する画素電極対の間に電圧を印加することにより発生する電界に応じて、基板１、２と垂直に移動させる。そして、図１（ａ）に示すように白色粒子群３Ｗを観察者に視認させて白色の表示を、あるいは、図１（ｂ）に示すように黒色粒子群３Ｂを観察者に視認させて黒色の表示を白黒のドットでマトリックス表示している。なお、図１（ａ）、（ｂ）において、手前にある隔壁は省略している。また、８は接着剤である。さらに、ここではセルと画素（ドット）とが１対１に対応する例を示している。
【００１５】
図２（ａ）、（ｂ）に示す例では、少なくとも光学的反射率および帯電性を有する粒子を含んだ粒子群として構成した少なくとも２種類の表示媒体（ここでは負帯電性白色粒子３Ｗａを含んだ白色粒子群３Ｗと正帯電性黒色粒子３Ｂａを含んだ黒色粒子群３Ｂを示す）を、隔壁４で形成された各セルにおいて、基板１に設けた電極５（ＴＦＴ（薄膜トランジスタ）付き画素電極）と基板２に設けた電極６（共通電極）との間に電圧を印加することにより発生する電界に応じて、基板１、２と垂直に移動させる。そして、図２（ａ）に示すように白色粒子群３Ｗを観察者に視認させて白色の表示を、あるいは、図２（ｂ）に示すように黒色粒子群３Ｂを観察者に視認させて黒色の表示を白黒のドットでマトリックス表示している。なお、図２（ａ）、（ｂ）において、手前にある隔壁は省略している。また、８は接着剤である。さらに、ここではセルと画素（ドット）とが１対１に対応する例を示している。
【００１６】
＜本発明の情報表示用パネルにおける粒子充填量の測定方法について＞
本発明の情報表示用パネルにおける粒子充填量の測定方法の特徴は、上述した構成の情報表示用パネルを製造する際、一方の基板上に隔壁で仕切って形成したセル内に配置した粒子群の粒子充填量を測定するにあたり、セル内に充填した粒子群に対し、上部から波長５６１ｎｍ以下のレーザー光を照射し、セル内に充填した粒子群の高さ方向の変位量を測定し、測定した変位量に基づき、セル内に充填した粒子群の充填量を求める点にある。
【００１７】
本発明でレーザー光の波長を５６１ｎｍ以下と限定する理由は、波長が５６１ｎｍを超えるレーザー光を用いて、本発明が対象とする、直径が数μｍ〜数１０μｍの粒子群を数層〜数１０層に積み上げて充填した粒子群の変位量プロファイルを測定しようとすると、散乱や核酸によるノイズの影響が大きくなり、精度良く粒子充填量の測定を行うことができないためである。特に、隔壁の端部形状に対して、波長が５６１ｎｍを超えるレーサー光を用いて変位量プロファイルを測定しようとした場合、散乱が起こりやすい。
【００１８】
図３（ａ）〜（ｄ）はそれぞれ本発明の情報表示用パネルにおける粒子充填量の測定方法の一例を具体的に説明するための図である。図３（ａ）〜（ｄ）に示す例においては、セル７の形状が隔壁４を格子状に配置して構成した四角形の例を示している。まず図３（ａ）、（ｂ）に示すように、粒子群を充填する前のセル７に対し、上部に設けたレーザー光源１１から波長５６１ｎｍ以下のレーザー光を照射し、四角形のセル７のいずれか一辺と平行にレーザー光を走査して、基板１および隔壁４からなるセル７の形状のプロファイルを測定する。次に、セル７内に粒子群（ここでは黒色粒子群３Ｂ）を充填する。粒子群３Ｂの充填方法は、従来から公知の方法、例えば、上部から粒子群を散布してセル７内に充填する方法や、粒子移動部材をマスク上を移動させて、マスク上に載せた粒子群をセル７内に充填する方法をとることができる。
【００１９】
次に、図３（ｃ）に示すように、セル７内に充填した粒子群３Ｂに対し、上部に設けたレーザー光源１１から波長５６１ｎｍ以下のレーザー光を照射し、四角形のセル７のいずれか１辺と平行にレーザー光を走査して、セル７内に充填した粒子群３Ｂの高さ方向の変位を測定する。次に、図３（ｄ）に示すように、セル７内の走査方向に沿った高さ方向の変位量を示すプロファイルから、粒子群３Ｂが存在する部分を示す断面積Ｓを求める。断面積Ｓは、図３（ｂ）に示す方法で得られた、粒子群を充填する前のセル７のプロファイルと、図３（ｃ）に示す方法で得られた、粒子群を充填した後のセル７内に充填した粒子群３Ｂの変位量のプロファイルとの差から、求めることができる。最後に、求めた粒子群３Ｂの断面積Ｓに、図３（ａ）に示す、レーザー光の走査方向に直交する方向のセル７の幅Ｗを掛け合わすことで、セル７内に充填した粒子群３Ｂの粒子充填量を測定することができる。
【００２０】
図４（ａ）、（ｂ）および図５はそれぞれ本発明の情報表示用パネルにおける粒子充填量の測定方法の他の例を説明するための図である。図４（ａ）、（ｂ）に示す例は、情報表示用パネルの全セルの粒子充填量を測定する場合を示しており、各セル毎の粒子充填量を測定する方法は、図３（ａ）〜（ｄ）に示した例と同様である。図４（ａ）、（ｂ）に示す例において、情報表示用パネル１２の全セルの粒子充填量を測定する場合、まず、レーザー光の走査方向の少なくとも１行または１列（ここでは１行）の全セル７の粒子充填量を、図３（ａ）〜（ｄ）に示した方法で求める。そして、求めたあるセル７の粒子充填量（ここでは図中Ａで示すセル）を該当するセル７と同じ列方向または行方向（ここでは列方向：斜線で示すセル）の粒子充填量として用いる。これにより、情報表示用パネル１２の全セル７の粒子充填量を測定している。
【００２１】
上述した例では、１行の全セルの粒子充填量から、情報表示用パネル１２の全セルの粒子充填量を求めたが、図５に示すように、走査方向の複数の行または列（ここでは３行）のセル７の粒子充填量から、情報表示用パネル１２の全セル７の粒子充填量を求めることもできる。この場合は、列方向または行方向（ここでは列方向：斜線で示すセル）のセル７の粒子充填量として、複数の行または列（ここでは３行）のセル７の粒子充填量（ここでは、図中Ａ、Ｂ、Ｃで示す３つのセル）の平均値を用いることができる。本例では、複数の行または列の平均値を用いることで、より精度の良い粒子充填量の測定を行うことができる。
【００２２】
なお、図４（ａ）、（ｂ）および図５に示した例では、行方向にレーザー光を走査する例を示したが、列方向にレーザー光を走査する例においても、図４（ａ）、（ｂ）および図４に基づく粒子充填量の測定方法を、行を列および列を行に変えるだけで、そのまま適用することができる。
【００２３】
＜本発明で用いる粒子充填量の変位量プロファイルについて＞
基板上に隔壁により形成されたセル内に、直径約１０μｍの黒色粒子群、赤色粒子群または白色粒子群を各別に充填し、ブルーレーザー変位計（（株）キーエンス：ＬＴ−９５００Ｖ）により、充填した粒子群の変位を測定した場合の、変位量プロファイルの一例を、図６、図７および図８（ａ）、（ｂ）に示す。
【００２４】
図６に示す黒色粒子群（反射率：約３％）の変位量プロファイル、および、図７に示す赤色粒子群の変位量プロファイルとも、良好な結果を得ることができ、これから精確な粒子充填量の測定をすることができることがわかる。また、図８（ａ）に示す白色粒子群（反射率：約３％の変位量プロファイルについては、散乱によるノイズが一部に見られたが、その場合は、光学フィルターを介してレーザー光を用いることで、図８（ｂ）に示すように、ノイズのない白色粒子群の変位量プロファイルを得ることができる。なお、光学フィルターとしては、偏光フィルターなどを用いることができる。
【００２５】
図９は青色レーザー光を用いて粒子充填量を測定する場合の一例を説明するための図である。図９に示すように、情報表示用パネルに対し青色レーザー（上述したブルーレーザー変位計を使用）を一方向に走査し、互いに異なる色１、色２、色３毎に粒子群が一層、二層、三層、四層に充填された粒子群の変位量プロファイルを測定し、測定した変位量プロファイルから求めた粒子充填量を求めた。その結果、図９に示すように、一層、二層、三層、四層とも色１、色２、色３の粒子群の粒子充填量が異なり、粒子充填量を精度良く測定できることがわかる。
【００２６】
＜本発明の粒子充填量の測定方法を用いる方法について＞
上述した本発明の粒子充填量の測定方法は、特許文献１で示されているように、情報表示用パネルのセル内に充填された粒子群の充填分布状態を評価する際に用いることができる。具体的には、粒子群をセル内に充填した後に本発明の粒子充填量の測定方法に基づき粒子群の充填分布状態を求め、一定の範囲内の均一性を有する場合はそのまま次工程に進み、一定の範囲内の均一性がない場合はＮＧとしてリワークする中間検査を実施するために好適に用いることができる。
【実施例】
【００２７】
以下、本発明の情報表示用パネルにおける粒子充填量の測定方法を実施するにあたり、使用するレーザー光の波長による依存性を検討した結果について説明する。
【００２８】
＜使用した粒子について＞
（黒色粒子群）
メチルメタクリレートモノマー（関東化学試薬）６０重量部、及び、１分子中に重合反応基を複数持つ多官能性モノマーとしてエチレングリコールジメタクリレート（和光純薬試薬）４０重量部（約２５ｍｏｌ％）に、正帯電の荷電制御剤としてニグロシン化合物（ボントロンＮ０７：オリエント化学製）３重量部、及び、黒色顔料として、カーボンブラック（スペシャルブラック：デグッサ製）５重量部をサンドミルにより分散させ、（アクリル系及びメタクリル系）樹脂−炭化水素系樹脂ブロックコポリマー（モディパーＦ６００：日本油脂製）５重量部を溶解させた後、さらに２重量部のラウリルパーオキサイド（パーロイルＬ：日本油脂製）を溶解させた液を、界面活性剤としてポリオキシエチレンアルキルエーテル硫酸ナトリウム（ラテムルＥ−１１８Ｂ：花王製）を０．５％添加した精製水に懸濁、重合させ、濾過、乾燥させた後、分級機（ＭＤＳ−２：日本ニューマチック工業）を用いて平均粒子径９．２μｍの正帯電性黒色粒子群を得た。
【００２９】
＜使用するレーザー光の波長による依存性について＞
まず、準備した黒色粒子群をセル内に充填した。次に、波長が、６７０ｎｍ、６３５ｎｍ、５９４ｎｍ、５６１ｎｍ、５３２ｎｍ、５１５ｎｍ、５０５ｎｍ、４８８ｎｍ、４７３ｎｍ、４４０ｎｍ、４０５ｎｍ、３５０ｎｍのレーザー光源を準備し、上述した粒子充填量の測定方法に従って、セル内に充填した黒色粒子群の粒子充填量を測定した。各例において、ノイズが多く測定困難なものを×、ノイズは出るが測定可能なものを△、測定可能なものを○として評価した。結果を以下の表１に示す。
【００３０】
【表１】
2012063168.tif 000003
【００３１】
表１の結果から、使用するレーザー光の波長として、５６１ｎｍ以下のものを用いる必要があることがわかる。なお、上述した例で示した波長よりも短波長の紫外レーザーについては、短波長のため精度を高めることが可能だが、可視光でないため、測定ポイントの確認がし難く、不適であった。
【産業上の利用可能性】
【００３２】
本発明の粒子充填量の測定方法を好適に適用できる情報表示用パネルは、ノートパソコン、電子手帳、ＰＤＡ(Personal Digital Assistants)と呼ばれる携帯型情報機器、携帯電話、ハンディターミナル等のモバイル機器の表示部、電子書籍、電子新聞等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ(Point Of Presence, Point Of Purchase advertising)、電子値札、電子棚札、電子楽譜、ＲＦ−ＩＤ機器の表示部のほか、ＰＯＳ端末、カーナビゲーション装置、時計など様々な電子機器の表示部に好適に用いられる。他に、リライタブルペーパー（本発明に係る画素サイズの電界形成用画素電極対を有する外部電界形成手段を用いて書換えできるものや、外部の表示書換え手段に接続して情報を書き換えた後、接続を解放しても情報を表示したままにすることができるもの）としても好適に用いられる。
【符号の説明】
【００３３】
１、２  パネル基板
３Ｗ  白色粒子群
３Ｗａ  白色粒子
３Ｂ  黒色粒子群
３Ｂａ  黒色粒子
４  隔壁
５、６  電極
７  セル
８  接着剤
１１  レーザー光源
１２  情報表示用パネル
【図１】
2012063168.tif 000004
【図２】
2012063168.tif 000005
【図３】
2012063168.tif 000006
【図４】
2012063168.tif 000007
【図５】
2012063168.tif 000008
【図６】
2012063168.tif 000009
【図７】
2012063168.tif 000010
【図８】
2012063168.tif 000011
【図９】
2012063168.tif 000012
【図１０】
2012063168.tif 000013
【図１１】
2012063168.tif 000014